(57)【要約】【課題】外力からインレットを保護し、ＩＣチップ等の破損を防止できるＩＣタグ及びＩＣタグの取り付け構造を提供する。【解決手段】インレット１１の一方側に配置され、剛性が高い高剛性部材１４と、インレット１１の高剛性部材１４とは反対側に配置され、インレット１１に加わる圧力を緩和する圧力緩和層２０とを備えることにより、ＩＣタグ１０に外力が加わった場合にも、局所的な衝撃は高剛性部材１４によって緩和され、全体的にかかる圧力は圧力緩和層２０によって緩和されるので、インレット１１を保護することができ、ＩＣチップ３等の破損を防止できる。【選択図】図２
2006343878.tif 000002
【特許請求の範囲】
【請求項１】
識別対象物に直接又は間接的に取り付けられ、非接触情報通信を行うＩＣタグであって、
基材層にＩＣチップ及び前記ＩＣチップに接続されたアンテナが設けられたインレットと、
前記インレットの一方側に配置され、貼り付け対象物に貼り付け可能とする貼り付け層と、
前記インレットの前記貼り付け層とは反対側に配置され、前記インレットに加わる圧力を緩和する圧力緩和層と
を備えるＩＣタグ。
【請求項２】
請求項１に記載のＩＣタグにおいて、
前記貼り付け層に、剥離可能に仮貼付される剥離部材が設けられていること、
を特徴とするＩＣタグ。
【請求項３】
識別対象物に直接又は間接的に取り付けられ、非接触情報通信を行うＩＣタグであって、
基材層にＩＣチップ及び前記ＩＣチップに接続されたアンテナが設けられたインレットと、
前記インレットの一方側に配置され、剛性の高い高剛性部材と、
を備えるＩＣタグ。
【請求項４】
識別対象物に直接又は間接的に取り付けられ、非接触情報通信を行うＩＣタグであって、
基材層にＩＣチップ及び前記ＩＣチップに接続されたアンテナが固定されたインレットと、
前記インレットの一方側に配置され、剛性の高い高剛性部材と
前記インレットの前記高剛性部材とは反対側に配置され、前記インレットに加わる圧力を緩和する圧力緩和層と、
を備えるＩＣタグ。
【請求項５】
請求項１から請求項４までのいずれか１項に記載のＩＣタグにおいて、
前記圧力緩和層は、少なくとも自由状態の体積の１／１０の体積まで収縮可能であること、
を特徴とするＩＣタグ。
【請求項６】
請求項１から請求項５までのいずれか１項に記載のＩＣタグにおいて、
前記高剛性部材と前記インレットとの間に設けられ、文字及び又は図柄を含む情報を表示する情報表示層を備え、
前記情報表示層は、前記高剛性部材側から目視又は光学読み取り可能であること、
を特徴とするＩＣタグ。
【請求項７】
請求項６に記載のＩＣタグにおいて、
前記高剛性部材は、透明又は半透明であること、
を特徴とするＩＣタグ。
【請求項８】
請求項１から請求項７までのいずれか１項に記載のＩＣタグにおいて、
前記高剛性部材と前記情報表示層との間に形成された貼り付け層を有すること、
を特徴とするＩＣタグ。
【請求項９】
請求項８に記載のＩＣタグにおいて、
前記貼り付け層は、透明又は半透明であること、
を特徴とするＩＣタグ。
【請求項１０】
請求項６から請求項９までのいずれか１項に記載のＩＣタグにおいて、
前記情報表示層は、ユニークな情報が表示されること、
を特徴とするＩＣタグ。
【請求項１１】
請求項６から請求項１０までのいずれか１項に記載のＩＣタグにおいて、
前記情報表示層は、外部エネルギーによる非接触な印字が可能な層であること、
を特徴とするＩＣタグ。
【請求項１２】
請求項１から請求項１１までのいずれか１項に記載のＩＣタグにおいて、
前記インレットは、防水加工が施されていること、
を特徴とするＩＣタグ。
【請求項１３】
請求項１２に記載のＩＣタグにおいて、
前記インレットは、少なくとも前記アンテナ及び前記ＩＣチップが防水層によって覆われていること、
を特徴とするＩＣタグ。
【請求項１４】
請求項６から請求項１３に記載のＩＣタグにおいて、
前記情報表示層の前記インレットとは反対側には、少なくとも１層の紫外線吸収材を含む層が設けられていること、
を特徴とするＩＣタグ。
【請求項１５】
請求項１から請求項１４までのいずれか１項に記載のＩＣタグを前記識別対象物に取り付けるＩＣタグの取り付け構造であって、
前記識別対象物には、前記ＩＣタグを取り付ける取り付け部が設けられ、
前記ＩＣタグを前記取り付け部に固定する固定手段を備え、
前記ＩＣタグは、前記情報表示層が目視又は光学読み取り可能であるように前記固定手段により固定されること、
を特徴とするＩＣタグの取り付け構造。
【請求項１６】
請求項１５に記載のＩＣタグの取り付け構造において、
前記取り付け部は、前記ＩＣタグが収容可能な穴部であること、
を特徴とするＩＣタグの取り付け構造。
【請求項１７】
請求項１６に記載のＩＣタグの取り付け構造において、
前記ＩＣタグは、前記高剛性部材の表面と前記識別対象物の表面とが略一致するように埋め込まれること、
を特徴とするＩＣタグの取り付け構造。
【請求項１８】
請求項１５から請求項１８までのいずれか１項に記載のＩＣタグの取り付け構造において、
前記高剛性部材の位置を決める位置決め部を備えること、
を特徴とするＩＣタグの取り付け構造。
【発明の詳細な説明】
【技術分野】
【０００１】
本発明は、識別対象物に直接又は間接的に取り付けられ、非接触情報通信を行うＩＣタグ及びＩＣタグの取り付け構造に関するものである。
【背景技術】
【０００２】
従来、この種のＩＣタグは、情報を記録して保持するＩＣチップと、アンテナとを備えており、専用の読み取り機を用いて、無線通信により、非接触での情報の読み取りが可能である。ＩＣタグは、小型であり、保存できる情報量が大きく、単体ごとの認識が可能であることから、商品や製品等の工場での工程管理や、流通状況の管理等や、個人の識別が必要なチケット等にも使用されている。
【０００３】
近年、このようなＩＣタグの用途は、様々な分野に広がっており、例えば、輸送用のコンテナ、パレット、建築資材等の管理等、屋外での厳しい環境下で使用される例も増えてきている。
従来のＩＣタグは、商品やパレット等の識別対象となる物品の表面に粘着材等により取り付けられるが、流通等の過程において、衝撃や圧力が加わる等してＩＣチップやアンテナが破損して保存されていた情報を読み取ることが不可能となるという問題があった。また、長期間の使用や、衝撃等により、ＩＣタグの表示面に記載されたバックアップ用の情報表示等が消滅するという問題があった。
【０００４】
衝撃や圧力等によるＩＣタグの破損を防止する例として、特許文献１、特許文献２が挙げられる。しかし、特許文献１では、ＩＣタグ全体に圧力がかかる場合には有効だが、局所的に圧力がかかる場合には、ＩＣチップ等が破損してしまうという問題があった。また、特許文献２では、局所的な圧力にも有効であるが、ＩＣタグの構造が複雑であり、製造工程も複雑となり、大量に安価に提供することが困難であるという問題があった。
【特許文献１】特開２００５−７１０６３号公報
【特許文献２】特開２００５−１００１１４号公報
【発明の開示】
【発明が解決しようとする課題】
【０００５】
本発明の課題は、外力からインレットを保護し、ＩＣチップ等の破損を防止できるＩＣタグ及びＩＣタグの取り付け構造を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、識別対象物（１００，３００）に直接又は間接的に取り付けられ、非接触情報通信を行うＩＣタグであって、基材層（１）にＩＣチップ（３）及び前記ＩＣチップに接続されたアンテナ（２）が設けられたインレット（１１）と、前記インレットの一方側に配置され、貼り付け対象物（１４）に貼り付け可能とする貼り付け層（１２）と、前記インレットの前記貼り付け層とは反対側に配置され、前記インレットに加わる圧力を緩和する圧力緩和層（２０）とを備えるＩＣタグである。
請求項２の発明は、請求項１に記載のＩＣタグにおいて、前記貼り付け層（１２）に、剥離可能に仮貼付される剥離部材（２１）が設けられていること、を特徴とするＩＣタグである。
請求項３の発明は、識別対象物（１００，３００）に直接又は間接的に取り付けられ、非接触情報通信を行うＩＣタグであって、基材層（１）にＩＣチップ（３）及び前記ＩＣチップに接続されたアンテナ（２）が設けられたインレット（１１）と、前記インレットの一方側に配置され、剛性の高い高剛性部材（１４）と、を備えるＩＣタグである。
請求項４の発明は、識別対象物（１００，３００）に直接又は間接的に取り付けられ、非接触情報通信を行うＩＣタグであって、基材層（１）にＩＣチップ（３）及び前記ＩＣチップに接続されたアンテナ（２）が固定されたインレットと、前記インレットの一方側に配置され、剛性の高い高剛性部材（１４）と、前記インレットの前記高剛性部材とは反対側に配置され、前記インレットに加わる圧力を緩和する圧力緩和層（２０）とを備えるＩＣタグである。
請求項５の発明は、請求項１から請求項４までのいずれか１項に記載のＩＣタグにおいて、前記圧力緩和層（２０）は、少なくとも自由状態の体積の１／１０の体積まで収縮可能であること、を特徴とするＩＣタグである。
請求項６の発明は、請求項１から請求項５までのいずれか１項に記載のＩＣタグにおいて、前記高剛性部材（１４）と前記インレット（１１）との間に設けられ、文字及び又は図柄を含む情報を表示する情報表示層（１３）を備え、前記情報表示層は、前記高剛性部材側から目視又は光学読み取り可能であること、を特徴とするＩＣタグである。
請求項７の発明は、請求項６に記載のＩＣタグにおいて、前記高剛性部材（１４）は、透明又は半透明であること、を特徴とするＩＣタグである。
請求項８の発明は、請求項１から請求項７までのいずれか１項に記載のＩＣタグにおいて、前記高剛性部材（１４）と前記情報表示層（１３）との間に形成された貼り付け層（１２）を有すること、を特徴とするＩＣタグである。
請求項９の発明は、請求項８に記載のＩＣタグにおいて、前記貼り付け層（１２）は、透明又は半透明であること、を特徴とするＩＣタグである。
請求項１０の発明は、請求項６から請求項９までのいずれか１項に記載のＩＣタグにおいて、前記情報表示層（１３）は、ユニークな情報（１３ａ）が表示されること、を特徴とするＩＣタグである。
請求項１１の発明は、請求項６から請求項１０までのいずれか１項に記載のＩＣタグにおいて、前記情報表示層（１３）は、外部エネルギーによる非接触な印字が可能な層であること、を特徴とするＩＣタグである。
請求項１２の発明は、請求項１から請求項１１までのいずれか１項に記載のＩＣタグにおいて、前記インレット（１１）は、防水加工が施されていること、を特徴とするＩＣタグである。
請求項１３の発明は、請求項１２に記載のＩＣタグにおいて、前記インレット（１１）は、少なくとも前記アンテナ（２）及び前記ＩＣチップ（３）が防水層によって覆われていること、を特徴とするＩＣタグである。
請求項１４の発明は、請求項６から請求項１３に記載のＩＣタグにおいて、前記情報表示層（１３）の前記インレット（１１）とは反対側には、少なくとも１層の紫外線吸収材を含む層が設けられていること、を特徴とするＩＣタグである。
請求項１５の発明は、請求項１から請求項１４までのいずれか１項に記載のＩＣタグを前記識別対象物（１００，３００）に取り付けるＩＣタグの取り付け構造であって、前記識別対象物には、前記ＩＣタグ（１０）を取り付ける取り付け部（１０１）が設けられ、前記ＩＣタグを前記取り付け部に固定する固定手段（１１０）を備え、前記ＩＣタグは、前記情報表示層（１３）が目視又は光学読み取り可能であるように前記固定手段により固定されること、を特徴とするＩＣタグの取り付け構造である。
請求項１６の発明は、請求項１５に記載のＩＣタグの取り付け構造において、前記取り付け部（１０１）は、前記ＩＣタグが収容可能な穴部であること、を特徴とするＩＣタグの取り付け構造である。
請求項１７の発明は、請求項１６に記載のＩＣタグの取り付け構造において、前記ＩＣタグ（１０）は、前記高剛性部材（１４）の表面と前記識別対象物（１００）の表面とが略一致するように埋め込まれること、を特徴とするＩＣタグの取り付け構造である。
請求項１８の発明は、請求項１５から請求項１８までのいずれか１項に記載のＩＣタグの取り付け構造において、前記高剛性部材（１４）の位置を決める位置決め部（１０２）を備えること、を特徴とするＩＣタグの取り付け構造である。
【発明の効果】
【０００７】
本発明によれば、以下の効果を奏することができる。
（１）圧力緩和層は、インレットの貼り付け層とは反対側に配置され、インレットに加わる圧力を緩和するので、ＩＣタグに外力が加わり、インレットが破損することを防止できる。
（２）剥離部材は、貼り付け層に、剥離可能に仮貼付されているので、ラベルとして提供でき、作業しやすい。
（３）高剛性部材は、インレットの一方側に配置され、剛性が高いので、高剛性部材が設けられた側から、ＩＣタグに局所的な外力が加わった場合に、インレットを保護し、ＩＣチップ等が破損することを防止できる。
（４）高剛性部材は、インレットの一方側に配置され、剛性が高く、圧力緩和層は、インレットの高剛性部材とは反対側に配置され、インレットに加わる圧力を緩和するので、ＩＣタグに加わる局所的な外力や、ＩＣタグ全体にかかる圧力等からインレットを保護し、ＩＣチップ等が破損するのを防止できる。
（５）圧力緩和層は、少なくとも自由状態の体積の１／１０の体積まで収縮可能であるので、インレットに加わる圧力を十分緩和することができる。従って、インレットに圧力がかかってＩＣチップ等が破損するのを防止できる。
（６）情報表示層は、高剛性部材と前記インレットとの間に設けられ、文字及び／又は図柄を含む情報を表示し、高剛性部材側から目視又は光学読み取り可能である。よって、高剛性部材により、インレットともに情報表示層の表示も保護できる。
（７）高剛性部材は、透明又は半透明であるので、高剛性部材を通して情報表示層の表示を目視でき、光学読み取りも可能である。
（８）貼り付け層は、高剛性部材と情報表示層との間に形成されるので、高剛性部材と情報表示層とを容易に接合できる。
（９）貼り付け層は、透明又は半透明であるので、情報表示層の表示を目視でき、光学読み取りも可能である。
（１０）情報表示層は、ユニークな情報が表示されるので、識別対象物単体に固有の情報を提供できる。従って、識別対象物の単体での識別が可能である。
（１１）情報表示層は、外部エネルギーによる非接触な印字が可能な層であるので、情報表示層と印字手段との間に剥離部材、貼り付け層等が在っても、印字できる。よって、剥離部材を貼り付け層に仮貼付した状態で印字できる。
（１２）インレットは、防水加工が施されているので、水に濡れる等して短絡し、ＩＣチップ等が破損することを防止できる。
（１３）インレットは、少なくともアンテナ及びＩＣチップが防水層によって覆われているので、水に濡れる等して短絡し、ＩＣチップ等が破損することを防止できる。
（１４）情報表示層の前記インレットとは反対側には、少なくとも１層の紫外線吸収材を含む層が設けられているので、紫外線により情報表示層の表示が退色することを防止できる。従って、ＩＣタグが破損した場合等に必要となるバックアップのための情報等を長期間表示できる。
（１５）識別対象物には、ＩＣタグを取り付ける取り付け部が設けられ、ＩＣタグを前記取り付け部に固定する固定手段を備え、ＩＣタグは、情報表示層が目視又は光学読み取り可能であるように固定手段により固定されるＩＣタグの取り付け構造であるので、ＩＣタグに保存された情報をバックアップするためのバーコード等の情報や、目視により提供する必要のある情報等を表示するとともに、識別対象物に対して確実に固定できる。
（１６）取り付け部は、ＩＣタグが収容可能な穴部であるので、ＩＣタグを外力から保護することができ、より確実に固定できる。
（１７）ＩＣタグは、高剛性部材の表面と識別対象物の表面とが略一致するように埋め込まれるので、外力を受け難く、ＩＣタグの信頼性を高めることができる。また、仕上がりもきれいである。
（１８）位置決め部は、高剛性部材の位置を決めるので、ＩＣタグの取り付けが容易になり、作業効率の向上を図ることができる。また、仕上がりもきれいである。
【発明を実施するための最良の形態】
【０００８】
本発明は、外力からインレットを保護し、ＩＣチップ等の破損を防止できるＩＣタグ及びＩＣタグの取り付け構造を提供するという目的を、インレットの一方側に、剛性の高い高剛性部材を配置し、インレットの高剛性部材とは反対側に、インレットに加わる圧力を緩和する圧力緩和層を配置することにより実現した。
【実施例１】
【０００９】
図１は、本発明によるＩＣタグの実施例１を説明する図である。
図２は、実施例１のＩＣタグ及びＩＣタグの取り付け構造を説明する図である。図２（ａ）は、コンクリートブロックに取り付けられたＩＣタグの平面図であり、図２（ｂ）は、図２（ａ）の矢印ＡＡで切断した断面を模式的に示した図である。
本実施例のＩＣタグ１０は、コンクリートブロック１００に設けられた取り付け穴部１０１に収容されており、ＩＣタグ１０の表面は、コンクリートブロック１００の表面と略同一面となっている。このＩＣタグ１０は、接着剤１１０によりコンクリートブロック１００に固定され、取り付けられている。なお、本実施例では、図２に示すように、ＩＣタグ１０は、接着剤１１０を、取り付け穴部１０１と後述する高剛性部材１４との間に塗布し、固定する例を示しているが、これに限らず、ＩＣタグ１０と取り付け穴部１０１との間に、接着剤１１０を充填して固定してもよい。
ＩＣタグ１０は、インレット１１、貼り付け層１２、情報表示層１３、高剛性部材１４等を備えている。
【００１０】
ここで、ＩＣタグについて説明する。
ＩＣタグは、非接触通信に使用する周波数帯により以下の４種類に大別することができる。
（１）１２５ｋＨｚ〜１３５ｋＨｚ帯
この周波数帯のＩＣタグは、主にＦＡ（Ｆａｃｔｏｒｙ  Ａｕｔｏｍａｔｉｏｎ）分野等で利用されており、最も歴史のあるＲＦＩＤ（Ｒａｄｉｏ  Ｆｒｅｑｕｅｎｃｙ  Ｉｄｅｎｔｉｆｉｃａｔｉｏｎ）システムである。
通信方式：電磁誘導
タグ形状：心棒状に巻いたコイルアンテナ、コイル巻き数：数１０ターン
通信距離：最大１ｍ程度
（２）１３．５６ＭＨｚ帯
この周波数帯のＩＣタグは、現在、最も幅広く利用されている。
通信方式：電磁誘導
タグ形状：アンテナコイル、コイル巻き数：３〜１０ターン程度
通信距離：最大７０ｃｍ程度
（３）８６０ＭＨｚ〜９６０ＭＨｚ帯（ＵＨＦ帯）
この周波数帯のＩＣタグは、欧米の大手流通企業で採用され、急速に注目度が高まっている。
通信方式：マイクロ波方式
タグ形状：ダイポールアンテナ（アンテナ長：約１６ｃｍ）
変形ダイポール（アンテナ長：５〜１０ｃｍ程度）
パッチアンテナ（アンテナ長：５〜１０ｃｍ程度）
通信距離：最大１０ｍ程度
（４）２．４５ＧＨｚ帯
この周波数帯のＩＣタグは、比較的通信距離が長いため、コンテナ管理等に使用されている。
通信方式：マイクロ波方式
タグ形状：ダイポール（アンテナ長：約６ｃｍ）
通信距離：最大２ｍ程度
本実施例は、１３．５６ＭＨｚの周波数帯を使用し、３〜１０ターン程度のアンテナコイルを有したＩＣタグを例として説明するが、上述の４種のいずれのＩＣタグであってもよく、これら以外の通信周波数を用いるＩＣタグでもよい。
【００１１】
図３は、本実施例のＩＣタグに用いられるインレットを説明する図である。図３（ａ）は、インレットの平面図であり、図３（ｂ）は、インレットの断面を模式的に示した図である。
インレット１１は、ベースフィルム１に、エッチング等により形成されたアンテナコイル２と、アンテナコイル２の両端部２ａ，２ｂが接続されたＩＣチップ３とを備えている。ベースフィルム１は、ポリエチレンテレフタレート等により形成された、薄いシート状の部材である。アンテナコイル２は、アルミニウム等により形成されている。
【００１２】
図２に戻って、貼り付け層１２は、インレット１１の一方側に配置され、後述の高剛性部材１４に貼り付け可能とする層である。この貼り付け層１２は、透明又は半透明であり、ポリアクリル酸エステル、ゴム系粘着剤、シリコーン粘着剤等の接着剤により形成されている。
高剛性部材１４は、透明なポリカーボネートにより形成された板状の部材であり、インレット１１を保護する役割を有している。本実施例の高剛性部材１４は、ポリカーボネート樹脂であるポリカエース（筒中プラスチック工業株式会社製）により形成された厚さ２．０ｍｍの板を使用している。これは、外力を受けた場合に、インレット１１の破壊を防ぐために必要な強度を確保し、かつ、情報表示層１３に表示された情報を目視又は光学読み取り可能とするために透明又は半透明とすることができる材料として選択したものである。
【００１３】
高剛性部材１４に用いたポリカエースは、曲げ強さ９３．１ＭＰａ、曲げ弾性率２３５０ＭＰａ、アイゾット衝撃強さ７８０Ｊ／ｍという高い強度を有し、また、全光線透過率８９％という高い透明度を有している。
なお、高剛性部材１４には、高い剛性、及び、高い耐衝撃性を有し、かつ、透明又は半透明であれば、例えば、同じポリカーボネート樹脂であるステラ（三菱樹脂株式会社製）を用いてもよいし、ポリカーボネート樹脂以外の素材を用いることも可能である。例えば、アクリル樹脂（曲げ強さ１０８〜１１８ＭＰａ、曲げ弾性率２９４０〜３０４０ＭＰａ、アイゾット衝撃強さ１９．６〜２９．４Ｊ／ｍ、全光線透過率９２％）を用いてもよいし、用途によっては、強化ガラスを用いてもよい。
【００１４】
情報表示層１３は、インレット１１と貼り付け層１２との間に設けられ、製造番号、有効期限、会社名等の文字や記号、ロゴマーク等の図柄、バーコード等の専用の読み取り機で光学読み取りする図柄等の情報を表示する層である。情報表示層１３が表示する情報１３ａ，１３ｂのうち、情報１３ａは、このＩＣタグが取り付けられるコンクリートブロック１００の製造番号等、識別対象物の単体にユニークな（固有な）情報である。この情報１３ａの形成方法については、後述する。
背景層１５は、情報表示層１３よりも裏側（インレット１１側）に設けられ、粘着層１６を介してインレット１１に接合されている。この背景層１５は、情報表示層１３の表示を視認しやすくする層である。本実施例では、背景層１５は、不透明な白色のシート状の部材を用いているが、情報表示層１３の情報表示を視認しやすくするために、適宜その色を変えてもよいし、また、背景として図柄を設けてもよい。
【００１５】
保護層１８は、粘着層１７により、インレット１１の裏面側（貼り付け層１２とは反対側）に接合され、インレット１１を保護する層である。この保護層１８は、ポリエチレン、ポリプロピレン等のシート状又はフィルム状の部材が用いられている。
圧力緩和層２０は、保護層１８の裏面側（貼り付け層１２とは反対側）に、粘着層１９を介して接合されており、インレット１１に加わる圧力を緩和する。
本実施例の圧力緩和層２０は、厚さ２．０ｍｍの軟質ウレタンであるピーチウレタン（日清紡績株式会社製）を使用している。このピーチウレタンを使用した理由としては、外力が加わったときに、圧力緩和層２０が弾性変形をすることにより、インレット１１に加わる圧力を下げる効果を得るためであり、その観点から、優れた緩衝性を有した素材として選択したものである。本実施例の圧力緩和層２０は、自由状態での体積の１０％以下の体積まで収縮可能であり、インレット１１に高い圧力が加わることを防ぎ、インレット１１の破損を未然に防ぐことができる。
なお、圧力緩和層２０には、優れた緩衝性（反発弾性率２０％未満）を有していれば、軟質ウレタン以外の素材を用いてもよい。例えば、ゴム、各種発泡体等を用いることができる。
図２では、模式的に示したため、ＩＣタグ１０の端部は切断されたような形状で示してあるが、実際にはその両端は、粘着層１６によりベースフィルム１と背景層１５とが接合されている。
【００１６】
上述した高剛性部材１４及び圧力緩和層２０は、いずれもインレット１１を保護する作用を有しているが、その要求される物性値は相反するものとなっている。このような組合せとしている理由を以下に説明する。
まず、高剛性部材１４は、ＩＣタグ１０の最表面側に設けられていることから、通常考えられる外力は、この高剛性部材１４に加わることになる。そして、この高剛性部材１４は、局所的な強い外力が加わったときに、インレット１１の一部に外力が集中して作用することを防ぐために設けられている。例えば、先端の尖った棒のようなもので突かれた場合に、その外力をインレット１１の全体に分散させる役割を果たしている。外力が分散して加わるので、例えば最も破損しやすいＩＣチップ３に加わる力も確実に小さくすることができ、インレット１１の機能を保つことができる。
【００１７】
一方、圧力緩和層２０は、高剛性部材１４に非常に強い外力が作用したときに、高剛性部材１４と識別対象物であるコンクリートブロック１００との間にインレット１１が挟まれて強い圧力を受けることを防止する役割を果たしている。先に述べたように、圧力緩和層２０は、緩衝性を有していることから、高剛性部材１４に非常に強い外力が作用したときに、弾性変形をしてインレット１１に強い圧力が作用することを防止できる。
【００１８】
このように、最表面側に高剛性部材１４を設け、インレット１１と識別対象物であるコンクリートブロック１００との間に圧力緩和層２０を設けた層構成としたことにより、本実施例のＩＣタグ１０は、局所的な強い外力が作用する場合、及び、全体として非常に強い外力が作用する場合のいずれの場合にあっても、インレット１１が破損してしまうことを回避でき、過酷な使用環境下にあっても、高い信頼性を確保できる。
【００１９】
本実施例によれば、高剛性部材１４、貼り付け層１２は透明であるので、情報表示層１３に表示された情報１３ａ，１３ｂを、高剛性部材１４の表面側から目視できる。よって、情報表示層１３に表示されたバーコード等についても、専用の読み取り機等を用いて光学読み取り可能である。
さらに、本実施例によれば、高剛性部材１４及び圧力緩和層２０により、高剛性部材１４側から強い外力が加わった場合にも、ＩＣチップ３等が破損することを防止できる。
【００２０】
（情報表示層の情報の形成方法）
図４は、情報表示層に情報を表示する工程を模式的に示した図である。図４（ａ）は、側面図であり、図４（ｂ）は、斜視図である。
ＩＣタグ１０Ｕは、情報表示層１３に情報１３ａが形成される以前の状態である。なお、情報１３ｂは、予め、情報表示層１３に形成されている。
このＩＣタグ１０Ｕには、セパレータ２１が仮貼付され、ロール状に巻き取られている。セパレータ２１は、貼り付け層１２に剥離可能に仮貼付された透明な剥離部材である。本実施例では、セパレータ２１は、透明な剥離部材であるとしたが、半透明のものを用いてもよい。
【００２１】
プリンタ２００は、ＩＣタグ１０Ｕに、情報１３ａを形成するプリンタであり、情報表示層１３に、セパレータ２１を介して非接触で情報１３ａを形成することができる。本実施例では、プリンタ２００は、レーザービームにより印字を行うが、外部エネルギーを用い、セパレータ２１を介して情報表示層１３に非接触で情報を印字できるものであれば、特に限定しない。例えば、感圧方式や感熱方式のプリンタ等を用いることができる。
【００２２】
セパレータ２１は、透明であるので、セパレータ２１からＩＣタグ１０Ｕを剥離することなく、情報表示層１３に形成された情報１３ａ，１３ｂを、目視又は光学読み取りにより確認することができる。従って、プリンタ２００により印字した情報１３ａの正誤や、ＩＣタグを取り付ける際の情報の確認が容易に行える。
【００２３】
（ＩＣタグの提供形態と取り付け工程）
ＩＣタグの提供形態として、（Ａ）セパレータ２１に仮貼付され、高剛性部材１４及び圧力緩和層２０が積層されていないＩＣタグ１０Ａと、（Ｂ）セパレータ２１に仮貼付され、圧力緩和層２０は積層されているが、高剛性部材１４は別部材であるＩＣタグ１０Ｂと、（Ｃ）高剛性部材１４及び圧力緩和層２０を積層しているＩＣタグ１０Ｃの３通りがある。
以下、各提供形態ごとに、ＩＣタグ１０の取り付け工程を説明する。
【００２４】
（ＩＣタグの提供形態Ａ）
図５は、本実施例のＩＣタグの取り付け工程の一例を模式的に示す図である。
図５に示すＩＣタグ１０Ａは、前述のＩＣタグ１０において、高剛性部材１４及び圧力緩和層２０を備えていない状態で提供されるものであり、貼り付け層１２によりセパレータ２１に仮貼付され、ロール状に巻き取られている。
なお、説明のために、図５及び後述の図６では、ＩＣタグ１０Ａ及びＩＣタグ１０Ｂを誇張して拡大して示しているが、実際には薄く、巻き取りに支障はない。
作業者は、この提供形態のＩＣタグ１０Ａを、セパレータ２１から剥がして、貼り付け層１２に高剛性部材１４を貼付する。コンクリートブロック１００の取り付け穴部１０１の開口部と対向する底部に圧力緩和層２０を敷き、粘着層１９を保護層１８に形成してＩＣタグ１０Ａを取り付け穴部１０１に収容する。このとき、粘着層１９により、保護層１８は、圧力緩和層２０と接合される。
次に、作業者は、図２（ｂ）に示すように、高剛性部材１４と取り付け穴部１０１との間に接着剤１１０等を塗布して取り付け穴部１０１を封止し、高剛性部材１４とＩＣタグ１０Ａと圧力緩和層２０とを取り付け穴部１０１に固定する。
【００２５】
この提供形態による取り付け工程では、接着剤１１０を高剛性部材１４と取り付け穴部１０１との間に塗布する例を示したが、これに限らず、取り付け穴部１０１とＩＣタグ１０Ａとの間に充填してもよい。また、この提供形態では、取り付け工程において、粘着層１９を保護層１８に形成し、圧力緩和層２０と保護層１８とを接合する例を示したが、粘着層１９は適宜省略してもよい。
【００２６】
このようなＩＣタグの提供形態とすることにより、ＩＣタグを取り付けたいコンクリートブロック１００が設置される環境や使用期間等に応じて、作業者が、高剛性部材１４及び圧力緩和層２０に用いる部材として最適なものを、適宜選択することができる。
また、圧力緩和層２０として、シート状のものに限らず、取り付け穴部１０１に充填する樹脂等を用いることができる。
【００２７】
（ＩＣタグの提供形態Ｂ）
図６は、本実施例のＩＣタグの取り付け工程の一例を模式的に示す図である。
図６に示すＩＣタグ１０Ｂは、前述のＩＣタグ１０において、高剛性部材１４のみを備えていない状態で提供されるものであり、貼り付け層１２によりセパレータ２１に仮貼付された状態で巻き取られている。
作業者は、この提供形態のＩＣタグ１０Ｂをセパレータ２１から剥がし、高剛性部材１４を貼り付け層１２に貼付して、コンクリートブロック１００に設けられた取り付け穴部１０１に収容する。高剛性部材１４と取り付け穴部１０１との間に接着剤１１０を塗布して取り付け穴部１０１を封止し、高剛性部材１４とＩＣタグ１０Ｂとを取り付け穴部１０１に固定する。
このようなＩＣタグの提供形態とすることにより、図５に示す取り付け工程に比べ、作業者が、ＩＣタグを取り付ける作業現場へ持ち込む部材数を減らすことができ、作業時間の短縮も図ることができる。
【００２８】
図７は、本実施例のＩＣタグの取り付け工程の一例を模式的に示す図である。
図７に示すＩＣタグ１０Ｃは、予め、高剛性部材１４が貼り付け層１２に貼付された状態で提供されるものである。作業者は、この状態のＩＣタグ１０Ｃを、取り付け穴部１０１に収容し、高剛性部材１４と取り付け穴部１０１との間に接着剤１１０を塗布して取り付け穴部１０１を封止し、ＩＣタグ１０Ｃを取り付け穴部１０１に固定する。
このようなＩＣタグの提供形態とすることにより、作業者は、ＩＣタグ１０Ｃと接着剤１１０のみを作業現場に持ち込めばよく、作業時間を大幅に短縮し、作業効率を向上させることができる。
【００２９】
本実施例では、以上に示すような取り付け工程の例の中から、作業のしやすさや、部材の入手状況等から、適宜、最適な工程を選択することができる。
【実施例２】
【００３０】
図８は、本発明によるＩＣタグ及びＩＣタグの取り付け構造の実施例２を説明する図である。図８（ａ）は、ＩＣタグの取り付け部分の拡大図であり、図８（ｂ）は、図８（ａ）の矢印ＢＢで切断した断面を模式的に示す図である。
なお、本実施例を含め、以下に示す各実施例において、実施例１と同様の機能を果たす部分には、同一の符号を付して、重複する説明を適宜省略する。
本実施例では、実施例１と同様に、ＩＣタグ１０をコンクリートブロック１００に設けられた取り付け穴部１０１に収容し、接着剤１１０により封止されるが、本実施例では、取り付け穴部１０１の開口部に、さらに、高剛性部材１４の位置を決める高剛性部材受け部１０２が形成されている。
この高剛性部材受け部１０２を設けることにより、高剛性部材１４の位置を容易に決めることができ、ＩＣタグ１０の取り付け作業を簡単にしながらも、高剛性部材１４とコンクリートブロック１００との表面を同一面として仕上がりも美しくできる。
【実施例３】
【００３１】
図９は、本発明によるＩＣタグ及びＩＣタグの取り付け構造の実施例３を説明する図である。図９（ａ）は、ＩＣタグが取り付けられている部分の拡大図であり、図９（ｂ）は、図９（ａ）の矢印ＣＣで切断した断面を模式的に示す図である。
なお、図９において、ＩＣタグ１０は、説明のために、誇張して示されているが、実際は薄く、使用する際に支障はない。
本実施例では、ＩＣタグ１０は、実施例１と同様にコンクリートブロック３００に取り付けられているが、コンクリートブロック３００には、取り付け穴部１０１が形成されていない点で、実施例１とは異なる。
本実施例のＩＣタグ１０は、コンクリートブロック３００の表面に取り付けられ、接着剤１１０により、ＩＣタグ１０の縁部分を封止することにより、コンクリートブロック３００に固定されている。
本実施例によれば、ＩＣタグ１０を取り付けたいコンクリートブロック３００等に、取り付け穴部１０１を設けることが困難な場合にも、目視又は光学読み取り可能な情報を備えたＩＣタグ１０を取り付けることができる。
また、実施例１及び実施例２に比べて、外力を受けやすい取り付け構造となっているものの、高剛性部材１４及び圧力緩和層２０を備えているので、ＩＣタグ１０に加わる衝撃の外力等から、十分にインレット１１を保護できる。
【００３２】
（変形例）
以上説明した実施例に限定されることなく、種々の変形や変更が可能であって、それらも本発明の均等の範囲内である。
（１）各実施例において、ＩＣタグは、コンクリートブロックに取り付けられる例を示したが、これに限らず、例えば、輸送用パレット、コンテナ、建築資材、各種製品等に取り付けてもよく、特に限定しない。
【００３３】
（２）各実施例において、情報表示層が表示する情報は、書き換え不可能である例を示したが、これに限らず、例えば、専用のプリンタ等を用いて容易に書き換え可能な情報としてもよい。
【００３４】
（３）各実施例において、ＩＣタグは、１３．５６ＭＨｚの周波数帯を使用し、３〜１０ターン程度のアンテナコイルを有したＩＣタグの例を示したが、ＩＣタグとして使用する周波数帯や通信方式、その形状等は特に限定しない。
【００３５】
（４）各実施例において、ＩＣタグは、粘着層によりベースフィルムと背景層とが接合される例を示したが、これに限らず、例えば、インレットのＩＣチップ及びアンテナコイルが形成された面、又は、インレット全体を、防水層として防水フィルムで覆う等により、防水効果を高めてもよい。
【００３６】
（５）各実施例において、貼り付け層は、インレットの全体を覆うように形成される例を示したが、これに限らず、例えば、情報表示層の情報が表示された領域以外の部分に形成してもよい。このように貼り付け層を形成することにより、貼り付け層が不透明である場合にも、情報表示層の情報は目視又は光学読み取り可能とすることができる。
【００３７】
（６）各実施例において、高剛性部材がＩＣタグの最表面となる例を示したが、これに限らず、高剛性部材の最表面側に剥離可能な表面保護層を備えてもよい。表面保護層は、ＩＣタグの取り付け完了後に剥離することにより、ＩＣタグの取り付け作業等で、高剛性部材の表面が汚れたり、傷ついたりすることを防止できる。
【００３８】
（７）実施例１又は実施例２において、ＩＣタグは、圧力緩和層を有する例を示したが、これに限らず、ＩＣタグとの取り付け穴部との空間に緩衝性を有する接着剤を充填して圧力緩和層を省略して部材数を減らし、作業効率の向上や生産コストの低減を図ってもよい。
【００３９】
（８）実施例１又は実施例２において、圧力緩和層は取り付け穴部の底面と接している例を示したが、これに限らず、圧力緩和層と取り付け穴部の底面との間に空間が存在していてもよい。
【００４０】
（９）各実施例において、ＩＣタグを固定する固定手段として、接着剤を用いる例を示したが、これに限らず、例えば、コンクリート材、ゴムパッキン、ビス等を用いてもよく、特に限定しない。
【００４１】
（１０）実施例１の図７において、ＩＣタグの提供形態の一例として、高剛性部材と圧力緩和層とがインレットに積層された提供形態を示したが、これに限らず、例えば、圧力緩和層を別部材とし、粘着層によりセパレータに仮貼付した状態で提供してもよい。このような提供形態とすることにより、取り付け穴部の形状や識別対象物の使用される環境等に応じて、圧力緩和層に最適な部材を適宜選択することができる。
【００４２】
（１１）各実施例において、情報表示層よりも表面側のいずれかの層に、紫外線吸収材を含む層を少なくとも１層設けて、紫外線による表示の退色防止を図ってもよい。紫外線吸収材は、高剛性部材や貼り付け層に混合してもよいし、紫外線吸収材を含む透明又は半透明な層を、情報表示層よりも表面側に積層してもよい。
【図面の簡単な説明】
【００４３】
【図１】本発明によるＩＣタグの実施例１を説明する図である。
【図２】実施例１のＩＣタグ及びＩＣタグの取り付け構造を説明する図である。
【図３】本実施例のＩＣタグに用いられるインレットを説明する図である。
【図４】情報表示層に情報を表示する工程を模式的に示した図である。
【図５】本実施例のＩＣタグの取り付け工程の一例を模式的に示す図である。
【図６】本実施例のＩＣタグの取り付け工程の一例を模式的に示す図である。
【図７】本実施例のＩＣタグの取り付け工程の一例を模式的に示す図である。
【図８】本発明によるＩＣタグ及びＩＣタグの取り付け構造の実施例２を説明する図である。
【図９】本発明によるＩＣタグ及びＩＣタグの取り付け構造の実施例３を説明する図である。
【符号の説明】
【００４４】
１    ベースフィルム
２    アンテナコイル
３    ＩＣチップ
１０    ＩＣタグ
１１    インレット
１２    貼り付け層
１３    情報表示層
１４    高剛性部材
１５    背景層
１６，１７，１９    粘着層
１８    保護層
２０    圧力緩和層
２１    セパレータ
１００，３００    コンクリートブロック
１０１    取り付け穴部
１０２    高剛性部材受け部
１１０    接着剤
２００    プリンタ
【図１】
2006343878.tif 000003
【図２】
2006343878.tif 000004
【図３】
2006343878.tif 000005
【図４】
2006343878.tif 000006
【図５】
2006343878.tif 000007
【図６】
2006343878.tif 000008
【図７】
2006343878.tif 000009
【図８】
2006343878.tif 000010
【図９】
2006343878.tif 000011